【手続補正書】
【提出日】平成27年11月16日(2015.11.16)
【手続補正１】
【補正対象書類名】特許請求の範囲
【補正対象項目名】全文
【補正方法】変更
【補正の内容】
【特許請求の範囲】
【請求項１】
燃料認証デバイスであって、前記燃料認証デバイスは、プログラム可能なプロセッサを備え、
前記プログラム可能なプロセッサは、前記燃料認証デバイスに、
第１の燃料カートリッジと関連付けられる第１の一意識別子要素（ＵＩＥ）を取得するステップであって、前記ＵＩＥは、バイナリデータとして符号化された情報と、前記バイナリデータがソルト化された後に前記バイナリデータから生成された第１のハッシュとを備える、ステップと、
前記第１の燃料カートリッジからの燃料を使用するように構成されるホストデバイスと関連付けられるホスト情報を取得するステップと、
遠隔カートリッジ追跡システムとのデータ通信ネットワークを介して交換されるデータまたは前記第１の燃料カートリッジが前記ホストデバイスとともに使用するために認証されたことを示す前記第１のＵＩＥ内に符号化されたデータ、前記第１のＵＩＥ、および前記ホスト情報に基づいて、前記第１の燃料カートリッジが前記ホストデバイスとともに使用するために認証されることを判定するステップであって、前記判定するステップは、前記ＵＩＥの前記バイナリデータから第２のハッシュを生成するステップと、前記第２のハッシュを前記ＵＩＥの前記第１のハッシュと比較するステップとをさらに含む、ステップと、
前記ホストデバイスが前記第１の燃料カートリッジからの燃料を使用することを可能にされていることを示す認証データを前記ホストデバイスに伝送するステップと、
を行わせるようにプログラムされ、
前記ＵＩＥは、コード、色、バーコード、数字、文字、ホログラム、画像、記号、２Ｄバーコード、ＱＲコード（登録商標）グリフ、アイコン、図、有機化学物質、３次元（３Ｄ）機械特徴、機械ストリップまたはマトリクス、無機化学物質、ドープされた基質、天然基質、または製造された基質のうちの１つ以上を備え、
前記ＵＩＥのバイナリデータとして符号化された前記情報は、暗号化データを含み、前記判定するステップは、特定の解読キーを利用することによって前記情報を解読することをさらに含む、燃料認証デバイス。
【請求項２】
前記第１の燃料カートリッジが前記ホストデバイスとともに使用するために認証されるという判定はさらに、前記ホストデバイスと関連付けられるユーザ識別子に基づく、請求項１に記載の燃料認証デバイス。
【請求項３】
前記プロセッサは、前記燃料認証デバイスに、
第２の燃料電池カートリッジと関連付けられる第２の一意識別子要素を取得することと、
前記ホストデバイスによる前記第２の燃料カートリッジからの燃料の使用に関して、前記ホストデバイスから燃料消費情報を受信することと、
前記燃料消費情報を前記遠隔カートリッジ追跡システムに伝送することと
を行わせるようにプログラムされる、
請求項１に記載の燃料認証デバイス。
【請求項４】
データを前記ホストデバイスに伝送し、前記ホストデバイスからデータを受信するために適合される無線通信回路をさらに備え、前記プロセッサは、前記通信回路を介して前記認証データを前記ホストデバイスに伝送するようにプログラムされる、請求項１に記載の燃料認証デバイス。
【請求項５】
前記ホストデバイスと、前記ホストデバイスおよび前記プログラム可能なプロセッサを含有する筐体とをさらに備える、請求項１に記載の燃料認証デバイス。
【請求項６】
モバイル燃料カートリッジ位置決めデバイスであって、前記デバイスは、表示ユニットと、プログラム可能なプロセッサとを備え、
前記プログラム可能なプロセッサは、燃料電池認証デバイスに、
水素カートリッジから燃料を受容するように構成されるホストデバイスを識別する情報を取得することと、
前記モバイルデバイスの地理的位置を取得することと、
前記ホストデバイスに適合する水素カートリッジが入手され得る販売地点を要求する要求を遠隔カートリッジ追跡システムに伝送することと、
前記伝送された要求に応答して、複数の販売地点に関する情報を受信することと、
前記表示ユニット上に前記情報を表示することと
を行わせるようにプログラムされる、
モバイル燃料カートリッジ位置決めデバイス。
【請求項７】
ユーザ入力デバイスをさらに備え、
前記プロセッサは、前記燃料カートリッジ認証デバイスに、
購入者を識別する購入者情報を取得することと、
前記ユーザ入力デバイスを介して、前記複数の販売地点に含まれる、選択された販売地点の指示を受信することと、
前記購入者のための前記ホストデバイスに適合する水素カートリッジの購入を要求する要求を伝送することと
を行わせるようにプログラムされる、
請求項６に記載のデバイス。
【請求項８】
前記プロセッサは、前記燃料カートリッジ認証デバイスに、前記購入された水素カートリッジが受け取りのために前記販売地点で保留されることを要求する要求を伝送させるようにプログラムされる、請求項７に記載のデバイス。
【請求項９】
前記プロセッサは、前記燃料カートリッジ認証デバイスに、前記購入された水素カートリッジが前記購入者に配送されるという要求を伝送させるようにプログラムされる、請求項７に記載のデバイス。
【請求項１０】
前記プロセッサは、前記燃料カートリッジ認証デバイスに、
前記水素カートリッジの一意識別子要素を受信させ、
前記ホストデバイスが前記購入された燃料カートリッジから燃料を引き出すことを可能にされていることを示す認証データを前記ホストデバイスに伝送させる
ようにプログラムされる、
請求項７に記載のデバイス。
【請求項１１】
前記プロセッサは、前記燃料カートリッジ認証デバイスに、
前記ホストデバイスによる１つ以上の燃料カートリッジの使用を示す燃料消費情報を受信することと、
燃料カートリッジ交換が前記ホストデバイスのために行われる必要があろう前の推定時間量を判定することと、
前記燃料消費情報に応答して、付加的な燃料が前記ホストデバイスのために購入されるべきであるという通知を前記表示ユニット上に表示することと
を行わせるようにプログラムされる、
請求項６に記載のモバイル燃料カートリッジ位置決めデバイス。
【請求項１２】
水素燃料カートリッジ追跡システムであって、前記システムは、プログラム可能なプロセッサを備え、前記プログラム可能なプロセッサは、
第１の複数の販売地点の販売地点情報を受信することであって、前記販売地点情報は、それぞれの販売地点の位置を含む、ことと、
複数の水素燃料カートリッジのそれぞれのカートリッジ情報を受信することであって、前記販売地点情報が、それぞれのカートリッジが購入され得る前記販売地点のうちの１つを示す、ことと、
購入者の位置を識別する位置情報を受信することと、
前記位置情報および販売地点情報に基づいて、前記第１の複数の販売地点に含まれる、第２の複数の販売地点を識別することと、
前記第２の複数の販売地点のそれぞれの位置を前記購入者に伝送することと
を実行するようにプログラムされる、
水素燃料カートリッジ追跡システム。
【請求項１３】
前記プロセッサは、
カートリッジから燃料を受容するように構成されるホストデバイスを識別するホストデバイス情報を受信することと、
前記複数のカートリッジのうちの１つを一意的に識別する識別子を受信することと、
前記ホストデバイスが前記識別されたカートリッジから燃料を引き出す権限があるという指示を伝送することと
を実行するようにプログラムされる、
請求項１２に記載の追跡システム。
【請求項１４】
前記プロセッサは、
前記複数の燃料カートリッジのうちの１つからの燃料の引き出しを示す燃料消費情報を受信することと、
前記燃料消費情報に基づいて、燃料が前記複数の燃料カートリッジのうちの前記１つから引き出されなくてもよいという指示を伝送することと
を実行するようにプログラムされる、
請求項１２に記載の追跡システム。
【請求項１５】
燃料カートリッジ認証システムであって、前記システムは、プログラム可能なプロセッサを備え、前記プログラム可能なプロセッサは、
第１の燃料電池カートリッジと関連付けられる第１の一意識別子要素（ＵＩＥ）を取得するステップであって、前記ＵＩＥは、バイナリデータとして符号化された情報と、前記バイナリデータがソルト化された後に前記バイナリデータから生成された第１のハッシュとを備える、ステップと、
前記第１の電池カートリッジからの燃料を使用するように構成されるホストデバイスと関連付けられるホスト情報を取得するステップと、
遠隔データベースとのデータ通信ネットワークを介して交換されるデータおよび前記第１のＵＩＥに基づいて、前記第１の電池カートリッジが前記ホストデバイスとともに使用するために認証されることを判定するステップであって、前記第１の電池カートリッジが前記ホストデバイスとともに使用するために認証されることを判定するステップは、前記ＵＩＥの前記バイナリデータから第２のハッシュを生成するステップと、前記第２のハッシュを前記ＵＩＥの前記第１のハッシュと比較するステップとをさらに含む、ステップと、
ＵＩＥ追跡システムに基づくデータ交換を介して、前記第１の燃料電池カートリッジが真正であるかどうかを判定するステップと、
前記第１の燃料電池カートリッジが前記ホストデバイスに適合することを示す認証データを前記ホストデバイスに伝送するステップと、
を行うようにプログラムされ、
前記ＵＩＥは、コード、色、バーコード、数字、文字、ホログラム、画像、記号、２Ｄバーコード、ＱＲコード（登録商標）グリフ、アイコン、図、有機化学物質、３次元（３Ｄ）機械特徴、機械ストリップまたはマトリクス、無機化学物質、ドープされた基質、天然基質、または製造された基質のうちの１つ以上を備え、
前記ＵＩＥのバイナリデータとして符号化された前記情報は、暗号化データを含み、前記判定するステップの一方または両方は、特定の解読キーを利用することによって前記情報を解読することをさらに含む、燃料カートリッジ認証システム。
【請求項１６】
さらに、
前記ホストは、燃料電池およびバランスオブプラントを含有し、
前記ホストシステムは、データ通信を受信するように構成され、
前記ホストシステムは、少なくとも１つの制御弁を伴って構成され、それによって、接続されたカートリッジからの燃料の流体流動を可能にするか、または拒絶することができ、
前記ホストデバイスが前記第１のカートリッジからの燃料を使用することを可能にされている、または可能にされていないことを示すように前記ホストデバイスに伝送し、
前記ホストシステムは、前記接続されたカートリッジから前記燃料電池への燃料流を可能にするか、または前記流動を拒絶するかのいずれかである、
請求項１５に記載のシステム。
【請求項１７】
前記判定するステップは、
遠隔カートリッジ追跡システムとのデータ通信ネットワークを介して交換されるデータ、前記第１のＵＩＥ、および前記ホスト情報に基づいて、前記第１の燃料カートリッジが前記ホストデバイスとともに使用するために認証されることを判定するステップ
を備える、請求項１に記載の燃料認証デバイス。
【請求項１８】
前記判定するステップは、
前記第１の燃料カートリッジが前記ホストデバイスとともに使用するために認証されたことを示す前記第１のＵＩＥ内に符号化されたデータ、前記第１のＵＩＥ、および前記ホスト情報に基づいて、前記第１の燃料カートリッジが前記ホストデバイスとともに使用するために認証されることを判定するステップ
を備える、請求項１に記載の燃料認証デバイス。
【手続補正２】
【補正対象書類名】明細書
【補正対象項目名】００１０
【補正方法】変更
【補正の内容】
【００１０】
ホスト１１０はまた、ホスト１１０の動作を制御するようにプログラムされる、プログラム可能なプロセッサ１１２も含む。加えて、ホスト１１０は、限定されないが、８０２．１１  ｗｉｆｉ、Ｂｌｕｅｔｏｏｔｈ（登録商標）、セルラー、ＲＦ、および光学通信等の技法を介して、通信デバイス１３０等の他のデバイスとの無線通信を提供するように構成される、無線通信回路１１１を含んでもよい。そのような通信は、以下でさらに議論される。
本発明は、例えば、以下を提供する。
（項目１）
燃料認証デバイスであって、プログラム可能なプロセッサを備え、
前記プログラム可能なプロセッサは、前記燃料認証デバイスに、
第１の燃料カートリッジと関連付けられる第１の一意識別子要素（ＵＩＥ）を取得するステップと、
前記第１の燃料カートリッジからの燃料を使用するように構成されるホストデバイスと関連付けられるホスト情報を取得するステップと、
遠隔カートリッジ追跡システムとのデータ通信ネットワークを介して交換されるデータ、前記第１のＵＩＥ、および前記ホスト情報に基づいて、前記第１の燃料カートリッジが前記ホストデバイスとともに使用するために認証されることを判定するステップと、
前記ホストデバイスが前記第１の燃料カートリッジからの燃料を使用することを可能にされていることを示す、認証データを前記ホストデバイスに伝送するステップと、
を行わせるようにプログラムされる、
燃料認証デバイス。
（項目２）
前記第１の燃料カートリッジが前記ホストデバイスとともに使用するために認証されるという判定はさらに、前記ホストデバイスと関連付けられるユーザ識別子に基づく、項目１に記載の燃料認証デバイス。
（項目３）
前記プロセッサは、前記燃料認証デバイスに、
第２の燃料電池カートリッジと関連付けられる第２の一意識別子要素を取得することと、
前記ホストデバイスによる前記第２の燃料カートリッジからの燃料の使用に関して、前記ホストデバイスから燃料消費情報を受信することと、
前記燃料消費情報を前記遠隔カートリッジ追跡システムに伝送することと
を行わせるようにプログラムされる、
項目１に記載の燃料認証デバイス。
（項目４）
データを前記ホストデバイスに伝送し、前記ホストデバイスからデータを受信するために適合される、無線通信回路をさらに備え、前記プロセッサは、前記通信回路を介して前記認証データを前記ホストデバイスに伝送するようにプログラムされる、項目１に記載の燃料認証デバイス。
（項目５）
前記ホストデバイスと、前記ホストデバイスおよび前記プログラム可能なプロセッサを含有する筐体とをさらに備える、項目１に記載の燃料認証デバイス。
（項目６）
モバイル燃料カートリッジ位置決めデバイスであって、表示ユニットと、プログラム可能なプロセッサとを備え、
前記プログラム可能なプロセッサは、燃料電池認証デバイスに、
水素カートリッジから燃料を受容するように構成されるホストデバイスを識別する情報を取得することと、
前記モバイルデバイスの地理的位置を取得することと、
前記ホストデバイスに適合する水素カートリッジが入手され得る販売地点を要求する要求を遠隔カートリッジ追跡システムに伝送することと、
前記伝送された要求に応答して、複数の販売地点に関する情報を受信することと、
前記表示ユニット上に前記情報を表示することと
を行わせるようにプログラムされる、
モバイル燃料カートリッジ位置決めデバイス。
（項目７）
ユーザ入力デバイスをさらに備え、
前記プロセッサは、前記燃料カートリッジ認証デバイスに、
購入者を識別する購入者情報を取得することと、
前記ユーザ入力デバイスを介して、前記複数の販売地点に含まれる、選択された販売地点の指示を受信することと、
前記購入者のための前記ホストデバイスに適合する水素カートリッジの購入を要求する要求を伝送することと
を行わせるようにプログラムされる、
項目６に記載のデバイス。
（項目８）
前記プロセッサは、前記燃料カートリッジ認証デバイスに、前記購入された水素カートリッジが受け取りのために前記販売地点で保留されることを要求する要求を伝送させるようにプログラムされる、項目７に記載のデバイス。
（項目９）
前記プロセッサは、前記燃料カートリッジ認証デバイスに、前記購入された水素カートリッジが前記購入者に配送されるという要求を伝送させるようにプログラムされる、項目７に記載のデバイス。
（項目１０）
前記プロセッサは、前記燃料カートリッジ認証デバイスに、前記水素カートリッジの一意識別子要素を受信させ、
前記ホストデバイスが前記購入された燃料カートリッジから燃料を引き出すことを可能にされていることを示す、認証データを前記ホストデバイスに伝送させるようにプログラムされる、
項目７に記載のデバイス。
（項目１１）
前記プロセッサは、前記燃料カートリッジ認証デバイスに、
前記ホストデバイスによる１つ以上の燃料カートリッジの使用を示す、燃料消費情報を受信することと、
燃料カートリッジ交換が前記ホストデバイスのために行われる必要があろう前の推定時間量を判定することと、
前記燃料消費情報に応答して、付加的な燃料が前記ホストデバイスのために購入されるべきであるという通知を前記表示ユニット上に表示することと
を行わせるようにプログラムされる、
項目６に記載のモバイル燃料カートリッジ位置決めデバイス。
（項目１２）
水素燃料カートリッジ追跡システムであって、プログラム可能なプロセッサを備え、前記プログラム可能なプロセッサは、
第１の複数の販売地点の販売地点情報を受信することであって、前記販売地点情報は、それぞれの販売地点の位置を含む、ことと、
前記販売地点情報が、それを通してそれぞれのカートリッジが購入され得る前記販売地点のうちの１つを示す、複数の水素燃料カートリッジのそれぞれのカートリッジ情報を受信することと、
購入者の位置を識別する位置情報を受信することと、
前記位置情報および販売地点情報に基づいて、前記第１の複数の販売地点に含まれる、第２の複数の販売地点を識別することと、
前記第２の複数の販売地点のそれぞれの位置を前記購入者に伝送することと
を実行するようにプログラムされる、
水素燃料カートリッジ追跡システム。
（項目１３）
前記プロセッサは、
カートリッジから燃料を受容するように構成されるホストデバイスを識別する、ホストデバイス情報を受信することと、
前記複数のカートリッジのうちの１つを一意的に識別する識別子を受信することと、
前記ホストデバイスが前記識別されたカートリッジから燃料を引き出す権限があるという指示を伝送することと
を実行するようにプログラムされる、
項目１２に記載の追跡システム。
（項目１４）
前記プロセッサは、
前記複数の燃料カートリッジのうちの１つからの燃料の引き出しを示す、燃料消費情報を受信することと、
前記燃料消費情報に基づいて、燃料が前記複数の燃料カートリッジのうちの前記１つから引き出されなくてもよいという指示を伝送することと
を実行するようにプログラムされる、
項目１２に記載の追跡システム。
（項目１５）
燃料カートリッジ認証システムであって、プログラム可能なプロセッサを備え、前記プログラム可能なプロセッサは、
第１の燃料電池カートリッジと関連付けられる第１の一意識別子要素（ＵＩＥ）を取得するステップと、
前記第１の電池カートリッジからの燃料を使用するように構成されるホストデバイスと関連付けられるホスト情報を取得するステップと、
遠隔データベースとのデータ通信ネットワークを介して交換されるデータに基づいて、前記第１の電池カートリッジが前記ホストデバイスとともに使用するために認証されることを判定するステップと、
ＵＩＥ追跡システムに基づくデータ交換を介して、前記カートリッジが真正であるかどうかを判定するステップと、
前記カートリッジが前記ホストデバイスに適合することを示す、認証データを前記通信デバイスに伝送するステップと、
を行うようにプログラムされる、
燃料カートリッジ認証システム。
（項目１６）
さらに、
前記ホストは、燃料電池およびバランスオブプラントを含有し、
前記ホストシステムは、データ通信を受信するように構成され、
前記ホストシステムは、少なくとも１つの制御弁を伴って構成され、それによって、接続されたカートリッジからの燃料の流体流動を可能にするか、または拒絶することができ、
前記ホストデバイスが前記第１のカートリッジからの燃料を使用するように可能にされている、または可能にされていないことを示して、前記ホストデバイスに伝送し、
前記ホストシステムは、前記接続されたカートリッジから前記燃料電池への燃料流を可能にするか、または前記流動を拒絶するかのいずれかである、
項目１５に記載のシステム。